(57)【特許請求の範囲】
【請求項１】
断面矩形状のダクトの端部に接続される防振継手であって、断面矩形状の弾性体の上面および下面に板状体を接着し、これらの板状体の外面に取付ボルトを固着してなるユニットの複数が、前記ダクトの端面に合致する形状に連結されて、前記取付ボルトにより前記ダクトに固定されるように構成された防振継手において、
前記複数のユニットは、前記ダクト端部の辺に沿って配置される辺部用ユニットと、前記ダクト端部のコーナー部に配置されるコーナー部用ユニットからなり、各ユニットの両連結面には互いに嵌合可能な凹部および凸部が設けられていて、これらの凹部および凸部を嵌合させることによって隣接するユニット間が連結されており、かつ、各ユニットの一側面には、前記板状体の外面より外方に突出するパッキング部が設けられていることを特徴とする防振継手。
【請求項２】
請求項１記載の防振継手において、ユニットの連結面に設けられている凹部および凸部は、弾性体の幅方向もしくは厚さ方向にのみ嵌入可能な形状とされていることを特徴とする防振継手。
【発明の詳細な説明】
【０００１】
【発明の属する技術分野】
本発明は、建築構造物の空調用等のダクトの防振対策として使用される防振継手に関する。
【０００２】
【従来の技術】
一般に、建築構造物に空調用等のダクトを設置する場合、その壁貫通部に、ダクトから発生する振動が壁に伝達するのを防止するため、防振ゴムからなる継手（以下、防振継手と称する。）が用いられている。
【０００３】
図５は、このような防振継手を用いた断面矩形状のダクトの壁貫通部の施工例を示したもので、壁１を貫通して配置した埋設ダクト２の両端に防振継手３、４が固定され、これらの防振継手３、４を介してダクト５、６が固定されている。
そして、防振継手３、４は、例えば図６に示すような、断面矩形の長尺弾性体７の両側面に金属板８を固着し、これらの各金属板８の外側面に長さ方向にほぼ等間隔で複数の取付ボルト９、９………を植設した長尺の防振ゴム１０により形成されている。すなわち、このような長尺の防振ゴム１０を、現場でダクト５、６の大きさに合わせて切断して所要長のブロック１１ａ、１１ｂ………とし、これを、例えば図７に示すように、適宜組み合わせてダクト５、６のフランジ部の形状に対応するように配置し、取付ボルト９により各ダクト２、５、６に固定する構造となっている。
【０００４】
なお、図５において、１２は、ダクト５、６の振動音を吸収するために埋設ダクト２およびダクト５、６の内面に充填されたグラスウール等の吸音材である。
【０００５】
【発明が解決しようとする課題】
ところで、このような防振継手３、４においては、長尺の防振ゴム１０を現場でダクトの大きさに合わせて切断しなければならないため、施工が煩雑で、かつ、切断のための工具を必要とする難点があった。しかも、切断の精度が低いと、隣接する防振ゴムのブロック１１ａ、１１ｂ間に隙間が生じたり、あるいはダクト２、５、６への取付けが困難になるおそれがあった。また、資源の無駄となる端材が発生するという難点もあった。
【０００６】
本発明はこのような点に対処してなされたもので、様々な大きさのダクトにも容易に施工することができ、しかも、端材が発生することもない防振継手を提供することを目的とする。
【０００７】
【課題を解決するための手段】
本願の請求項１記載の発明は、断面矩形状のダクトの端部に接続される防振継手であって、断面矩形状の弾性体の上面および下面に板状体を接着し、これらの板状体の外面に取付ボルトを固着してなるユニットの複数が、前記ダクトの端面に合致する形状に連結されて、前記取付ボルトにより前記ダクトに固定されるように構成された防振継手において、前記複数のユニットは、前記ダクト端部の辺に沿って配置される辺部用ユニットと、前記ダクト端部のコーナー部に配置されるコーナー部用ユニットからなり、各ユニットの両連結面には互いに嵌合可能な凹部および凸部が設けられていて、これらの凹部および凸部を嵌合させることによって隣接するユニット間が連結されており、かつ、各ユニットの一側面には、前記板状体の外面より外方に突出するパッキング部が設けられていることを特徴としている。
【０００９】
請求項２記載の発明は、前記防振継手において、ユニットの連結面に設けられている凹部および凸部が、弾性体の幅方向もしくは厚さ方向にのみ嵌入可能な形状とされていることを特徴としている。
【００１０】
請求項１記載の防振継手においては、施工に際し、現場で、ダクトのサイズに合わせて辺部用ユニットとコーナー部用ユニットを適宜組み合わせて連結するとともに、これらを取付ボルトによりダクトに固定するだけでよく、作業は容易で従来のように切断作業を要することもない。したがって、現場に切断用工具を持ち込む必要はなく、また、切断不良により施工に不具合が生ずることもない。さらに、端材の発生も防止される。
【００１１】
また、パッキング部によりダクトとの接合面のシール性が向上するため、パッキング材やコーキング材等の封止材を取付面に介在させる必要がなくなり、作業性がさらに向上する。
【００１２】
請求項２記載の防振継手においては、ユニット間の連結作業が容易で、かつ、連結した後は容易に外れることがないため、作業性が向上する。
【００１３】
【発明の実施の形態】
以下、本発明の実施の形態を図面を用いて説明する。
【００１４】
図１は、本発明の防振継手に用いられる各種ユニットの例を示す上面図で、Ａは、ダクト端部のコーナー部に配置されるコーナー部用ユニットの例、Ｂ〜Ｅは、ダクト端部の辺に沿って配置される辺部用ユニットの例である。また、図２は、図１に示すコーナー部用ユニットＡに辺部用ユニットＢを連結した状態を示す斜視図およびその分解図である。
【００１５】
これらの図に示すように、コーナー部用ユニットＡは、ゴム等からなる断面が矩形状でＬ字型の弾性体２１の上面および下面に、金属等の硬質材料からなる板状体２２、２２を接着し、これらの板状体２２、２２の外面に取付ボルト２３、２３を固着した構造を有する。取付ボルト２３の固着位置は、板状体２２の幅方向の 2本の中心線が交わる位置である。そして、連結面となる両端面には互いに嵌合可能な凹部２４および凸部２５が設けられており、凸部２５の先端側は引き抜きを防止するため断面円弧状の膨大部２５ａが形成されている。
【００１６】
また、辺部用ユニットＢは、ゴム等からなる断面が矩形状でＩ字型の弾性体２１の上面および下面に、金属等の硬質材料からなる板状体２２、２２を接着し、これらの板状体２２、２２の外面に取付ボルト２３、２３を固着した構造を有する。取付ボルト２３の固着位置は、板状体２２の幅方向の中心線と長さ方向の中心線が交わる位置である。そして、連結面となる両端面にはコーナー部用ユニットＡと同様の互いに嵌合可能な凹部２４および凸部２５が設けられている。
【００１７】
さらに、辺部用ユニットＣ〜Ｅは、辺部用ユニットＢと長さもしくは長さと取付ボルト２３の数が異なるだけであり、辺部用ユニットＢの長さをｌとしたとき、辺部用ユニットＣはその 2倍長の2l、辺部用ユニットＤ、Ｅはそれぞれ 3倍長および 4倍長の3l、4lである。また、辺部用ユニットＤ、Ｅの取付ボルト２３は、それぞれの板状体２２の中心から両端面に向けて、辺部用ユニットＣの取付ボルト２３から端面までの距離だけ離間した位置にそれぞれ設けられている。
【００１８】
そして、さらに、これらの各ユニットＡ〜Ｅの一側面（コーナー部用ユニットＡでは、内側側面）には、弾性体と一体にパッキング部２６が形成されている。パッキング部２６は板状体２２の外面より外方に延出している。
【００１９】
図３は、このような各種ユニットを用いた本発明の防振継手の一例を示したもので、上記の各種ユニットのなかから、接続すべき断面矩形状のダクト端部の形状、サイズに合わせて選択した 4個のコーナー部用ユニットＡと、 2個の辺部用ユニットＣと、 2個の辺部用ユニットＥとから構成されている。
【００２０】
すなわち、 4個のコーナー部用ユニットＡが矩形の 4つの角部を、辺部用ユニットＣが上辺および下辺を、辺部用ユニットＥが左右の各辺をそれぞれ構成するように、そして、各ユニットのパッキング部２６がいずれも内側に位置するように、各ユニットＡ、Ｃ、Ｅの凹部２４と凸部２５を嵌合させて連結した構造となっている。
【００２１】
そして、このように矩形状に組み立てられた防振継手は、図５に示したような壁貫通部のダクト５（６）および埋設ダクト２に、それぞれ取付ボルト２３を介して固定される。
【００２２】
すなわち、図４に示すように、防振継手の各取付ボルト２３を、埋設ダクト２端部の内フランジ部１３に設けられたボルト挿通孔、および、ダクト５（６）端部の外フランジ部１４に設けられたボルト挿通孔に挿通させ、ナット２７を締め付けることにより、防振継手が埋設ダクト２およびダクト５（６）に固定される。  各ユニットにはパッキング部２６が設けられており、ナット２７を締め付けることによりこれらのパッキング部２６が変形して防振継手とダクト５（６）あるいは埋設ダクト２間をシールするため、これらの間に従来必要としたパッキング材やコーキング材を介挿させることなく防振継手取付部における気密性を保持することができる。
【００２３】
このように上記防振継手によれば、現場で、ダクト端面に合致する形状に容易に組み立て、ダクトに固定することができ、切断作業を要する従来の防振継手に比べ、作業性を向上させることができるとともに、施工不良や端材の発生を防止することができる。また、パッキング部２６によりパッキング材あるいはコーキング材の介挿工程を省くことができる利点も有する。
【００２４】
なお、防振継手の設置にあたっては、上記のようにユニットを矩形に組み立てた後に取付けるのではなく、各ユニットを個々にダクトあるいは埋設ダクトに固定しながら連結していくようにしてもよい。
【００２５】
また、本発明の防振継手を構成する辺部用ユニットおよびコーナー部用ユニットは、特に上記の例に限定されるものではないが、少なくとも辺部用ユニットについては、上記の例に示したような、基本単位長の整数倍、すなわち 1倍、 2倍、 3倍………の長さを有するものが、サイズの異なる各種ダクトへの適応が容易となることから好ましい。また、凹部２４および凸部２５は、嵌合のし易さや連結状態の安定性の点から、少なくとも弾性体の幅方向もしくは厚さ方向にのみ嵌入可能な形状とされていることが望ましく、特に厚さ方向にのみ嵌入可能な形状とされていることがより望ましい。さらに、パッキング部２６は、防振継手の外側に位置するように設けられ、あるいは連結されていてもよい。
【００２６】
【発明の効果】
以上説明したように、本発明の防振継手によれば、予め工場等で製造された辺部用ユニットとコーナー部用ユニットを現場で組み合わせて連結するとともにダクトに固定するだけなので、従来のように現場で切断する必要がなくなり、施工が容易となるうえ、切断不良による不都合のおそれもなくなり、さらに、端材の発生も防止される。
【００２７】
特に、ユニットの一側面に、板状体の外面より外方に突出するパッキング部を設けているので、パッキング材やコーキング材等の封止材を取付面に介在させる必要がなくなり、作業性をよりいっそう向上させることができる。
【００２８】
また、ユニットの連結面に設けられている凹部および凸部を弾性体の幅方向もしくは厚さ方向にのみ嵌入可能な形状とした場合には、ユニット間の連結作業が容易で、かつ、連結した後は容易に外れることがないため、作業性をさらに向上させることができる。
【図面の簡単な説明】
【図１】本発明の防振継手に用いられる各種ユニットの例を示す上面図。
【図２】（ａ）は図１に示すユニットの連結例を示す斜視図、（ｂ）はその分解斜視図。
【図３】本発明の防振継手の一例を示す上面図。
【図４】そのダクトへの取付状態を示す断面図。
【図５】従来の防振継手を用いたダクトの壁貫通部の一例を示す断面図。
【図６】従来の防振継手を構成する長尺の防振ゴムの一例を示す斜視図。
【図７】ダクト端部に対する従来の防振継手の組立て例を示す斜視図。
【符号の説明】
２………埋設ダクト
５、６………ダクト
Ａ………コーナー部用ユニット
Ｂ〜Ｅ………辺部用ユニット
２１………弾性体
２２………板状体
２３………取付ボルト
２４………凹部
２５………凸部
２６………パッキング部
２７………ナット
【図１】
0003838754.tif 000002
【図２】
0003838754.tif 000003
【図３】
0003838754.tif 000004
【図４】
0003838754.tif 000005
【図５】
0003838754.tif 000006
【図６】
0003838754.tif 000007
【図７】
0003838754.tif 000008